(57)【要約】【課題】部品点数を減らし、コストを削減することができる誘導加熱調理器を提供する。【解決手段】誘導加熱調理器１は、被加熱物が載置される天板２と、天板２の下方に設けられ、被加熱物を加熱する加熱部４と、回転自在に設けられ、回転された回転角度に基づいて、加熱部４の動作を設定する操作部５ａと、加熱部４の運転を自動的に停止させるタイマーを設定するオンオフスイッチであるタイマースイッチ５ｂと、操作部５ａを、タイマースイッチ５ｂがオフの場合に、回転角度に基づいて加熱部４の火力の調整が行われる火力調整モードに設定し、タイマースイッチ５ｂがオンの場合に、回転角度に基づいてタイマーのタイマー時間の設定が行われる時間設定モードに設定する制御部２１と、を有する。【選択図】図８
2014235904.tif 000002
【特許請求の範囲】
【請求項１】
被加熱物が載置される天板と、
前記天板の下方に設けられ、前記被加熱物を加熱する加熱部と、
回転自在に設けられ、回転された回転角度に基づいて、前記加熱部の動作を設定する操作部と、
前記加熱部の運転を自動的に停止させるタイマーを設定するオンオフスイッチであるタイマースイッチと、
前記操作部を、前記タイマースイッチがオフの場合に、前記回転角度に基づいて前記加熱部の火力の調整が行われる火力調整モードに設定し、前記タイマースイッチがオンの場合に、前記回転角度に基づいて前記タイマーのタイマー時間の設定が行われる時間設定モードに設定する制御部と、を有する
ことを特徴とする誘導加熱調理器。
【請求項２】
前記制御部は、
前記操作部が前記時間設定モードに設定された場合、予め決められた時間の経過後に、前記タイマー時間を決定し、前記操作部を前記火力調整モードに移行させる
ことを特徴とする請求項１記載の誘導加熱調理器。
【請求項３】
発光部を有し、
前記制御部は、
前記操作部が前記時間設定モードに設定されている場合に、前記発光部を予め決められた発光パターンで発光させる発光調整部を有する
ことを特徴とする請求項１又は請求項２記載の誘導加熱調理器。
【請求項４】
前記発光部は、
夫々発光色が異なる第１の発光部及び第２の発光部を有し、
前記発光調整部は、
前記加熱部の停止中に前記操作部が前記時間設定モードに設定された場合、前記第１の発光部を予め決められた発光パターンで発光させ、前記加熱部の運転中に前記操作部が前記時間設定モードに設定された場合、前記第２の発光部を予め決められた発光パターンで発光させる
ことを特徴とする請求項３記載の誘導加熱調理器。
【請求項５】
前記発光調整部は、
前記タイマー時間が経過して前記タイマーが完了するとき、前記発光部を予め決められた発光パターンで発光させる
ことを特徴とする請求項３又は請求項４記載の誘導加熱調理器。
【請求項６】
前記タイマースイッチは、タッチパネルで構成されており、前記タイマースイッチに接触することで、前記タイマーのオンオフが切り換えられる
ことを特徴とする請求項１〜５のいずれか一項に記載の誘導加熱調理器。
【請求項７】
天板と、
前記天板上に設けられ、被加熱物が載置される載置部と、
前記載置部の下方に設けられ、前記載置部に載置された前記被加熱物を加熱する加熱部と、
前記加熱部の運転を、設定された時間の経過後に停止させるタイマーを設定するオンオフスイッチであるタイマースイッチと、
回転自在に設けられ、回転された回転角度に基づいて前記加熱部の火力の調整を行う操作部と、
前記加熱部の火力に基づいて、前記タイマーのタイマー時間の設定を行う制御部と、を有する
ことを特徴とする誘導加熱調理器。
【請求項８】
前記制御部は、
前記加熱部の火力が強いほど、前記タイマー時間を短くする
ことを特徴とする請求項７記載の誘導加熱調理器。
【発明の詳細な説明】
【技術分野】
【０００１】
本発明は、天板を備える誘導加熱調理器に関する。
【背景技術】
【０００２】
従来の誘導加熱調理器として、特許文献１には、天板上に載置された被加熱物を加熱する加熱手段と、この加熱手段の火力を調整する操作つまみとを備える加熱調理器が開示されている。特許文献１において、操作つまみは、調理器本体の前面の操作パネルに、回動操作及び軸方向操作可能に設けられている。特許文献１は、操作つまみが軸方向に押下されると、操作つまみが操作パネルから突出し、また、この軸方向操作に基づいて、加熱手段が加熱開始準備状態となる。そして、加熱手段が加熱開始準備状態となった後、更に、操作つまみが周方向に回動操作されると、この回動操作に基づいて、加熱手段の加熱動作が開始される。
【０００３】
即ち、この特許文献１における従来技術は、操作つまみが軸方向操作された後に、更に回動操作されて、初めて加熱動作が開始される。このように、特許文献１は、加熱動作が開始されるために、操作つまみに対し、２段階の操作を行う必要がある。特許文献１は、加熱動作を行うために、２段階操作を必要とすることにより、操作つまみ（オンオフキー）が１回押下されただけで、加熱動作が開始されてしまう加熱調理器よりも、誤操作による加熱動作開始を抑制し、安全性を高めようとするものである。
【０００４】
また、この特許文献１のほかに、加熱部の運転を、設定された時間の経過後に自動的に停止するタイマーを備えた誘導加熱調理器も、従来から提案されている。このタイマーは、加熱部の火力の調整を行う操作つまみとは別の操作つまみによって構成されている。タイマーは、この操作つまみが軸方向に押下されることにより、タイマーがオンオフされるものであり、タイマーがオンされた後、操作つまみが周方向に回動操作されると、この回動操作に基づいて、タイマーのタイマー時間が設定される。
【先行技術文献】
【特許文献】
【０００５】
【特許文献１】特許第３８１０９０１号公報（請求項１）
【発明の概要】
【発明が解決しようとする課題】
【０００６】
しかしながら、タイマースイッチが操作つまみによって構成された従来の誘導加熱調理器では、加熱部の調整を行う操作つまみと、タイマースイッチのオンオフを行う操作つまみとが別個に設けられているため、部品数が多く、コストも高い。また、特許文献１においては、タイマーについては配慮されていない。
【０００７】
本発明は、上記のような課題を背景としてなされたもので、部品点数を減らし、コストを削減することができる誘導加熱調理器を提供するものである。
【課題を解決するための手段】
【０００８】
本発明に係る誘導加熱調理器は、被加熱物が載置される天板と、天板の下方に設けられ、被加熱物を加熱する加熱部と、回転自在に設けられ、回転された回転角度に基づいて、加熱部の動作を設定する操作部と、加熱部の運転を自動的に停止させるタイマーを設定するオンオフスイッチであるタイマースイッチと、操作部を、タイマースイッチがオフの場合に、回転角度に基づいて加熱部の火力の調整が行われる火力調整モードに設定し、タイマースイッチがオンの場合に、回転角度に基づいてタイマーのタイマー時間の設定が行われる時間設定モードに設定する制御部と、を有することを特徴とする。
【発明の効果】
【０００９】
本発明によれば、制御部が、タイマースイッチのオンオフによって、操作部を、火力調整モード又は時間設定モードに設定し、時間設定モードに設定された場合、操作部の回転により、タイマーのタイマー時間が設定される。このため、タイマースイッチを、オンオフを行うだけの簡易的なスイッチで構成することができ、従って、部品点数の削減及びコストの低減を図ることができる。
【図面の簡単な説明】
【００１０】
【図１】実施の形態１に係る誘導加熱調理器１を示す斜視図である。
【図２】実施の形態１に係る誘導加熱調理器１を示す上面図である。
【図３】実施の形態１に係る誘導加熱調理器１を示す正面図である。
【図４】実施の形態１に係る誘導加熱調理器１を示す側面図である。
【図５】実施の形態１における操作パネル５を示す斜視図である。
【図６】実施の形態１に係る誘導加熱調理器１を示すブロック図である。
【図７】実施の形態１における発光部６の点灯を示す斜視図である。
【図８】実施の形態１に係る誘導加熱調理器１の制御を示す第１のフローチャートである。
【図９】実施の形態１に係る誘導加熱調理器１の制御を示す第２のフローチャートである。
【図１０】実施の形態１における発光部６の発光パターンを示す図である。
【図１１】実施の形態２における発光部６の点灯を示す斜視図である。
【発明を実施するための形態】
【００１１】
以下、本発明に係る誘導加熱調理器の実施の形態について、図面を参照しながら説明する。なお、以下に説明する実施の形態によって本発明が限定されるものではない。また、図１を含め、以下の図面では各構成部材の大きさの関係が実際のものとは異なる場合がある。
【００１２】
実施の形態１．
図１は、実施の形態１に係る誘導加熱調理器１を示す斜視図、図２は、同じくこの誘導加熱調理器１を示す上面図、図３は、同じくこの誘導加熱調理器１を示す正面図、図４は、同じくこの誘導加熱調理器１を示す側面図である。この図１、図２、図３、図４に基づいて、誘導加熱調理器１について説明する。図１に示すように、誘導加熱調理器１は、グリル部１ｂと、グリル部１ｂの上部に設けられた上部加熱部１ａとを備えている。
【００１３】
このうち、上部加熱部１ａには、図２に示すように、手前側（矢印Ｙ１方向）の中央に、グリル部１ｂにおける調理の操作を行うための上面操作部１１が配置されている。また、上部加熱部１ａの手前側の両端部には、上部加熱部１ａの調理メニューを選択するメニュー操作部３ａが配置されている。更に、上部加熱部１ａの奥側（矢印Ｙ２方向）には、吸排気口カバー１２が配置され、また、手前側と奥側との間には、天板２が配置されている。この天板２には、鍋等の被加熱物が載置される載置部３が、例えば３個設けられている。
【００１４】
また、この３個の載置部３のうち、２個の載置部３の下方には、載置部３に載置された被加熱物を加熱する加熱コイルからなる加熱部４が設けられている。そして、もう１個の載置部３の下方には、例えば、ジュール熱で加熱するラジエントヒーター４ａが設けられている。なお、天板２における上面操作部１１近傍には、例えば液晶ディスプレイからなる表示部１３が設置されており、この表示部１３には、誘導加熱調理器１の動作情報及び上面操作部１１からの入力情報等が表示される。
【００１５】
また、グリル部１ｂには、図３に示すように、幅方向の一方の側（矢印Ｘ１方向）に、グリル部１ｂの扉１４が配置されている。また、グリル部１ｂにおける幅方向の他方の側（矢印Ｘ２方向）には、上部加熱部１ａにおける調理の操作を行うための操作パネル５が設けられている。この操作パネル５には、天板２上に設置された３個の載置部３に対応する３個の操作部５ａが設置され、これらの操作部５ａの下方（矢印Ｚ１方向）には、これらの操作部５ａに対応するように、夫々３個のタイマースイッチ５ｂが設置されている。なお、操作パネル５には、誘導加熱調理器１の電源スイッチ５ｃも、設置されている。また、図４に示すように、誘導加熱調理器１の側面は、側板１５によって塞がれている。
【００１６】
次に、操作パネル５に設置された操作部５ａについて詳細に説明する。図５は、実施の形態１における操作パネル５を示す斜視図である。図５に示すように、操作部５ａは、円柱状をなしており、軸方向（矢印Ｙ方向）が、操作パネル５に対し垂直になるように、操作パネル５に設置されている。この操作部５ａは、押下される度に、操作パネル５から突出したり、操作パネル５内に収納されたりするプッシュ式のスイッチで構成されている。
【００１７】
このプッシュ式のスイッチとしては、例えば、タクタイルスイッチとすることができる。操作部５ａは、加熱部４による加熱が行われない場合、操作パネル５内に収納された状態であり、加熱部４が使用される場合には、操作部５ａが押下されることにより、操作部５ａが操作パネル５から突出して、加熱部４の動作を行うことが可能な準備状態となる。また、この操作部５ａはダイヤル式となっており、周方向に回転されることにより、加熱部４の火力を段階的に調整することが可能となっている。なお、操作部５ａは、例えば樹脂で構成されている。
【００１８】
また、この操作部５ａの周囲には、環状の操作発光部６ａが設けられている。この発光部６は、夫々発光色が異なる第１の操作発光部６ａａ及び第２の操作発光部６ａｂを備えており、例えば、第１の操作発光部６ａａの発光色は青色であり、第２の操作発光部６ａｂの発光色は赤色である。この第１の操作発光部６ａａ及び第２の操作発光部６ａｂは、夫々個別に点灯することができるものであり、第１の操作発光部６ａａのみを点灯させると、青色に点灯し、第２の操作発光部６ａｂのみを点灯させると、赤色に点灯する。なお、本実施の形態では、操作発光部６ａの発光色が、「青色」及び「赤色」の場合について例示しているが、他の色であってもよい。また、本実施の形態では、操作発光部６ａの形状を環状としているが、そのほかの形状であってもよい。
【００１９】
次に、操作パネル５に設置されたタイマースイッチ５ｂについて詳細に説明する。タイマースイッチ５ｂは、加熱部４の運転を、設定された時間の経過後に自動的に停止させるタイマーを設定するオンオフスイッチである。図５に示すように、タイマースイッチ５ｂは、例えばシーソー式のスイッチで構成されている。このタイマースイッチ５ｂにおいて、操作パネル５における幅方向の一方の側（矢印Ｘ１方向）が押下されると、タイマースイッチ５ｂがオフされ、操作パネル５における幅方向の他方の側（矢印Ｘ２方向）が押下されると、タイマースイッチ５ｂがオンされる。タイマースイッチ５ｂがオンされると、操作部５ａは、火力調整モードから時間設定モードに移行する。これにより、操作部５ａが周方向に回転されることによって、タイマーのタイマー時間の設定を行うことができる。
【００２０】
また、このタイマースイッチ５ｂは、内部に発光素子等が備えられ、この発光素子から出射された光を透過する透光性の材質で形成されている。即ち、このタイマースイッチ５ｂ自体が、スイッチ発光部６ｂとなっている。このスイッチ発光部６ｂは、夫々発光色が異なる第１のスイッチ発光部６ｂａ及び第２のスイッチ発光部６ｂｂを備えており、例えば、第１のスイッチ発光部６ｂａの発光色は青色であり、第２のスイッチ発光部６ｂｂの発光色は赤色である。この第１のスイッチ発光部６ｂａ及び第２のスイッチ発光部６ｂｂは、操作発光部６ａと同様に、夫々個別に点灯することができるものであり、第１のスイッチ発光部６ｂａのみを点灯させると、青色に点灯し、第２のスイッチ発光部６ｂｂのみを点灯させると、赤色に点灯する。なお、本実施の形態では、操作発光部６ａと同様に、スイッチ発光部６ｂの発光色が、「青色」及び「赤色」の場合について例示しているが、他の色であってもよい。また、スイッチ発光部６ｂは、タイマースイッチ５ｂと一体的に形成されていなくてもよく、例えば、その周囲に設けられていてもよい。
【００２１】
次に、制御部２１について説明する。図６は、実施の形態１に係る誘導加熱調理器１を示すブロック図である。図６に示すように、誘導加熱調理器１には、電源３８が設けられており、制御部２１は、電源スイッチ５ｃが入ると、電源３８を投入する。また、誘導加熱調理器１には、インバーター回路３１が設けられており、このインバーター回路３１は、載置部３に載置された被加熱物を加熱する加熱コイルからなる加熱部４及び共振コンデンサ３２を駆動するものである。制御部２１は、操作部５ａが操作され、加熱部４の駆動を開始する信号が入力された際、インバーター回路３１を駆動する。そして、インバーター回路３１は、加熱部４及び共振コンデンサ３２からなる負荷回路に、高周波電流を供給する。
【００２２】
なお、本実施の形態では、インバーター回路３１は２個設けられており、夫々誘導加熱調理器１の天板２に設置された３個の載置部３のうち、２個の載置部３に対応している。なお、もう１個の載置部３は、例えば、ジュール熱で加熱するラジエントヒーター４ａによって、載置された被加熱物が加熱されるように構成することができる。また、誘導加熱調理器１には、グリル部１ｂのグリルヒーター３４を駆動するグリルヒーター駆動回路３３が設けられている。制御部２１は、上面操作部１１が操作され、グリルヒーター３４の駆動を開始する信号が入力されると、グリルヒーター駆動回路３３を駆動する。そして、グリルヒーター駆動回路３３は、グリルヒーター３４に、電流を供給する。
【００２３】
更に、誘導加熱調理器１には、表示部１３を駆動する表示部駆動回路３５が設けられている。制御部２１は、上面操作部１１又は操作部５ａが操作され、表示部１３の駆動を開始する信号が入力されると、表示部駆動回路３５を駆動する。そして、表示部駆動回路３５は、表示部（ＬＣＤ）１３に電流を供給し、誘導加熱調理器１の動作情報並びに上面操作部１１及び操作部５ａからの入力情報等を、表示部１３に表示させる。更に、誘導加熱調理器１には、スピーカー３６が設けられており、制御部２１は、上面操作部１１又は操作部５ａが操作され、スピーカー３６の駆動を開始する信号が入力された際、スピーカー３６を駆動する。そして、制御部２１は、スピーカー３６から、誘導加熱調理器１の動作情報並びに上面操作部１１及び操作部５ａからの入力情報等を発声させる。また、誘導加熱調理器１には、電源部３７が設けられており、この電源部３７は、インバーター回路３１、グリルヒーター駆動回路３３、表示部駆動回路３５及びスピーカー３６等に電流を供給するものである。
【００２４】
また、誘導加熱調理器１には、回転検出部２５が設けられており、この回転検出部２５は、操作部５ａが回転されたときの回転角度を検出するものである。タイマースイッチ５ｂがオフされた状態、即ち、操作部５ａが火力調整モードに設定されているとき、この回転検出部２５によって検出された回転角度の情報は、インバーター回路３１に送信され、加熱部４の火力が制御される。これに対し、タイマースイッチ５ｂがオンされて、操作部５ａが時間設定モードに設定されているとき、回転検出部２５によって検出された回転角度の情報に基づいて、タイマーのタイマー時間の設定が行われる。
【００２５】
また、制御部２１は、発光調整部２２、計時部２３及び記憶部２４を備えており、このうち、発光調整部２２は、発光部６の発光パターンを調整するものである。図７（ａ）、（ｂ）、（ｃ）は、実施の形態１における発光部６の点灯を示す斜視図である。このうち、図７（ａ）は、発光部６が消灯していることを示す斜視図、図７（ｂ）は、発光部６が点灯していることを示す斜視図、図７（ｃ）は、発光部６が、図７（ｂ）とは異なる色に点灯していることを示す斜視図である。図７（ａ）に示すように、タイマースイッチ５ｂがオフされている場合、発光調整部２２は、操作発光部６ａ及びスイッチ発光部６ｂを消灯する。
【００２６】
次に、タイマースイッチ５ｂがオンされる場合について説明する。タイマースイッチ５ｂがオンされる時期として、既に操作部５ａが周方向に回転されて、加熱部４が運転中である場合と、操作部５ａが周方向に回転されておらず、加熱部４が準備状態である場合との２通りが考えられる。このうち、加熱部４が準備状態であるときにタイマースイッチ５ｂがオンされた場合、操作部５ａは火力調整モードから時間設定モードに移行され、操作発光部６ａ及びスイッチ発光部６ｂは、青色に点滅する。即ち、第１の操作発光部６ａａ及び第１のスイッチ発光部６ｂａが点滅する。そして、時間Ｔ秒が経過すると、操作部５ａは時間設定モードから火力調整モードに復帰され、操作発光部６ａ及びスイッチ発光部６ｂは、青色の点滅から点灯に変わる（図７（ｂ））。この時間Ｔ秒は、誘導加熱調理器１の工場出荷時に予め設定されていてもよいし、また、使用者が適宜変更するように構成することも可能である。
【００２７】
一方、加熱部４が運転しているときにタイマースイッチ５ｂがオンされた場合、操作部５ａは火力調整モードから時間設定モードに移行され、操作発光部６ａ及びスイッチ発光部６ｂは、赤色に点滅する。即ち、第２の操作発光部６ａｂ及び第２のスイッチ発光部６ｂｂが点滅する。そして、予め決められた時間Ｔ秒が経過すると、操作部５ａは時間設定モードから火力調整モードに復帰され、操作発光部６ａ及びスイッチ発光部６ｂは、赤色の点滅から点灯に変わる（図７（ｃ））。
【００２８】
また、発光調整部２２のほかに、制御部２１に備わっている計時部２３は、タイマーのタイマー時間及び上記の時間Ｔ秒等を計測するものである。そして、記憶部２４は、この時間Ｔ秒及び発光部６の発光パターン等を記憶するものである。
【００２９】
次に、本実施の形態に係る誘導加熱調理器１の動作について説明する。図８は、実施の形態１に係る誘導加熱調理器１の制御を示す第１のフローチャートである。図８に示すように、先ず、電源スイッチ５ｃが投入されると、制御部２１は、タイマースイッチ５ｂがオンされているか否かを判定する（ステップＳ１）。制御部２１によって、タイマースイッチ５ｂがオフされていると判定された場合（ステップＳ１のＮｏ）は、操作部５ａは火力調整モードに設定される（ステップＳ３）。これに対し、制御部２１によって、タイマースイッチ５ｂがオンされていると判定された場合（ステップＳ１のＹｅｓ）は、操作部５ａは時間設定モードに設定される（ステップＳ２）。
【００３０】
以上のように、タイマースイッチ５ｂがオンオフされることにより、制御部２１は、操作部５ａを、火力調整モード又は時間設定モードに設定する。そして、操作部５ａが火力調整モードに設定されている場合は、操作部５ａの回転により、加熱部４の火力の調整が行われることに加え、操作部５ａが時間設定モードに設定されている場合は、操作部５ａの回転により、タイマーのタイマー時間が設定される。このように、本実施の形態は、操作部５ａによって、火力調整及びタイマー時間の設定のいずれも行うことができるため、タイマースイッチ５ｂを、タイマーのオンオフを行うだけの簡易的なスイッチで構成することができる。
【００３１】
従来の誘導加熱調理器では、タイマースイッチを部品点数が多いダイヤル式の操作つまみとする必要があるため、火力調整の操作つまみが３個設けられていると、これらに対応するようにタイマーの操作つまみも３個必要となる。即ち、従来の誘導加熱調理器では、操作つまみが合わせて６個必要となる。これに対し、本実施の形態では、ダイヤル式の操作つまみは、操作部５ａの３個だけで済み、タイマーについては、簡易なオンオフスイッチであるタイマースイッチ５ｂを３個用意すればよい。従って、本実施の形態１に係る誘導加熱調理器１は、従来の誘導加熱調理器よりも、部品点数を削減し、コストの低減を図ることができる。更に、操作部５ａで、火力の調整及びタイマー時間の設定のいずれも行うことができるため、使い勝手が良い。
【００３２】
図９は、実施の形態１に係る誘導加熱調理器１の制御を示す第２のフローチャートである。図８（第１のフローチャート）のステップＳ１、ステップＳ２において、制御部２１によって、タイマースイッチ５ｂがオンされていると判定され、操作部５ａが時間設定モードに設定されると、引き続き、第２のフローチャートに基づいて、誘導加熱調理器１の制御が行われる。図９に示すように、タイマースイッチ５ｂがオンされると、計時部２３によって、オンされてからの時間が計測されると共に、制御部２１は、加熱部４が運転中であるか否かを判定する（ステップＳ１１）。制御部２１によって、加熱部４が運転中であると判定される（ステップＳ１１のＹｅｓ）と、発光調整部２２は、スイッチ発光部６ｂを赤色に点滅させる（ステップＳ１２）。即ち、発光調整部２２は、第２のスイッチ発光部６ｂｂを点滅させる。更に、発光調整部２２は、操作発光部６ａを赤色に点滅させる（ステップＳ１３）。即ち、発光調整部２２は、第２の操作発光部６ａｂを点滅させる。
【００３３】
その後、制御部２１は、操作部５ａが回転されたか否かを判定する（ステップＳ１４）。制御部２１によって、操作部５ａが回転されていないと判定されると、ステップＳ１６に移行する（ステップＳ１４のＮｏ）。一方、制御部２１によって、操作部５ａが回転されていると判定されると、回転検出部２５によって、その回転角度が検出される（ステップＳ１４のＹｅｓ）。そして、回転検出部２５によって検出された回転角度に基づいて、タイマーのタイマー時間が設定される（ステップＳ１５）。また、制御部２１は、記憶部２４によって記憶された時間Ｔ秒が経過したか否かを判定する（ステップＳ１６）。制御部２１によって、時間Ｔ秒が経過していないと判定されると、ステップＳ１４に戻る（ステップＳ１６のＮｏ）。一方、制御部２１によって、時間Ｔ秒が経過したと判定されると、制御部２１は、操作部５ａの回転角度に基づいて設定されたタイマー時間を、タイマーのタイマー時間として決定する（ステップＳ１７）。
【００３４】
なお、前述の如く、制御部２１によって、操作部５ａが回転されていないと判定されると、ステップＳ１６に移行する。このように、制御部２１は、操作部５ａの回転の有無にかかわらず、Ｔ秒が経過すれば、タイマー時間を決定する。操作部５ａが回転されないまま、Ｔ秒が経過すると、タイマー時間は無制限、即ち、タイマーの設定がキャンセルされたことになる。そして、タイマー時間が決定されると、発光調整部２２は、スイッチ発光部６ｂを赤色の点滅から点灯に変える（ステップＳ１８）。即ち、発光調整部２２は、第２のスイッチ発光部６ｂｂを点滅から点灯に変化させる。更に、発光調整部２２は、操作発光部６ａを赤色の点滅から点灯に変える（ステップＳ１９）。即ち、発光調整部２２は、第２の操作発光部６ａｂを点滅から点灯に変える。これにより、タイマーの設定が完了したことを、使用者が認識することができる。
【００３５】
一方、ステップＳ１１にて、制御部２１によって、加熱部４が停止中であると判定される（ステップＳ１１のＮｏ）と、次に、制御部２１は、加熱部４が準備状態であるか否かを判定する（ステップＳ２０）。操作部５ａが押下されて、操作パネル５から突出し、加熱部４が準備状態にある場合、次のステップＳ２１に進む。なお、ステップＳ２１からステップＳ２８までは、発光部６の発光色が、ステップＳ１２からステップＳ１９までと相違し、それ以外については、共通する。従って、ステップＳ２１からステップＳ２８までについては、ステップＳ１２からステップＳ１９までとの相違点について説明し、共通点については説明を省略する。
【００３６】
ステップＳ２１は、ステップＳ１２に対応するものであり、発光調整部２２は、スイッチ発光部６ｂを、青色に点滅させる（ステップＳ２１）。即ち、発光調整部２２は、第１のスイッチ発光部６ｂａを点滅させる。更に、発光調整部２２は、操作発光部６ａを青色に点滅させる（ステップＳ２２）。即ち、発光調整部２２は、第１の操作発光部６ａａを点滅させる。なお、ステップＳ２３からステップＳ２６までは、ステップＳ１４からステップＳ１７までと同様である。そして、ステップＳ２７は、ステップＳ１８に対応するものであり、発光調整部２２は、スイッチ発光部６ｂを、青色の点滅から点灯に変える（ステップＳ２７）。即ち、発光調整部２２は、第１のスイッチ発光部６ｂａを点滅から点灯に変える。更に、発光調整部２２は、操作発光部６ａを青色の点滅から点灯に変える（ステップＳ２８）。即ち、発光調整部２２は、第１の操作発光部６ａａを点滅から点灯に変化させる。これにより、タイマーの設定が完了したことを、使用者が認識することができる。
【００３７】
更に、設定されたタイマー時間が経過して、タイマーが完了するとき、発光調整部２２は、発光部６を例えば青色に点滅させる。これにより、使用者が、誘導加熱調理器１から離れた場所にいても、タイマーが完了したことを認識することができる。なお、ステップＳ２０にて、制御部２１によって、操作部５ａが操作パネル５内に収納されて加熱部４が準備状態ではないことが判定された場合、タイマーの設定は不要であるため、誘導加熱調理器１は、制御を終了する。
【００３８】
以上説明したように、発光調整部２２は、誘導加熱調理器１のステータスによって、発光部６の発光パターンを変化させる。図１０は、実施の形態１における発光部６の発光パターンを示す図である。図１０に示すように、タイマースイッチ５ｂがオフである場合、発光部６は消灯している。そして、加熱部４が運転中に、タイマースイッチ５ｂがオンされると、発光部６は赤色に点滅する（図９のステップＳ１２、ステップＳ１３）。そして、Ｔ秒が経過すると、発光部６は赤色に点灯する（図９のステップＳ１８、ステップＳ１９）。また、加熱部４が準備状態にあるとき、タイマースイッチ５ｂがオンされると、発光部６は青色に点滅する（図９のステップＳ２１、ステップＳ２２）。そして、タイマースイッチ５ｂがオンされてからＴ秒が経過すると、発光部６は青色に点灯する（図９のステップＳ２７、ステップＳ２８）。また、タイマーが完了すると、発光部６は青色に点滅する。
【００３９】
なお、上記の発光パターンは、一例に過ぎず、例えば、発光部６の発光色を変えたり、点滅速度を変えたりすることもできる。発光色を変える手段としては、第１の操作発光部６ａａ及び第１のスイッチ発光部６ｂａ並びに第２の操作発光部６ａｂ及び第２のスイッチ発光部６ｂｂの階調を変化させたり、更に第３の操作発光部及び第３のスイッチ発光部等を加えたりすることが挙げられる。なお、本実施の形態においては、誘導加熱調理器１に、発光部６を強制的に消灯させる機能をもたせてもよい。これにより、使用者が、発光部６の発光を必要としない場合、発光部６の発光を停止させることができる。
【００４０】
以上説明したように、本実施の形態は、操作部５ａの周囲に操作発光部６ａを設け、且つタイマースイッチ５ｂ自体をスイッチ発光部６ｂとすることによって、タイマーの視認性を高めることにより、ユニバーサルデザイン（ＵＤ）及び安全性が考慮された操作パネル５を実現することができる。また、誘導加熱調理器１の使用者が、誘導加熱調理器１から離れた場所にいても、発光部６が発光することにより、タイマーが設定されているか否かを認識することができる。
【００４１】
実施の形態２．
次に、実施の形態２に係る誘導加熱調理器１について説明する。図１１（ａ）、（ｂ）、（ｃ）は、実施の形態２における発光部６の点灯を示す斜視図である。このうち、図１１（ａ）は、発光部６が消灯していることを示す斜視図、図１１（ｂ）は、発光部６が点灯していることを示す斜視図、図１１（ｃ）は、発光部６が、図１１（ｂ）とは異なる色に点灯していることを示す斜視図である。本実施の形態は、タイマースイッチ５ｂがシーソー式のスイッチではなく、タッチパネルで構成されている点で、実施の形態１と相違する。本実施の形態では、実施の形態１と共通する部分は同一の符号を付して説明を省略し、実施の形態１との相違点を中心に説明する。
【００４２】
本実施の形態では、タイマースイッチ５ｂは、例えば静電容量式のタッチパネルで構成されており、タイマースイッチ５ｂに接触することで、タイマーのオンオフを切り換えることができる。図１１（ａ）に示すように、タイマースイッチ５ｂがオフであるとき、操作発光部６ａ及びスイッチ発光部６ｂは消灯する。そして、加熱部４が準備状態であるときにタイマースイッチ５ｂがオンされた場合、操作発光部６ａ及びスイッチ発光部６ｂは、青色に点滅し、Ｔ秒経過後に、点滅から点灯に変わる（図１１（ｂ））。また、加熱部４が運転しているときにタイマースイッチ５ｂがオンされた場合、操作発光部６ａ及びスイッチ発光部６ｂは、赤色に点滅し、Ｔ秒経過後に、点滅から点灯に変わる（図１１（ｃ））。
【００４３】
このように、本実施の形態では、実施の形態１で得られる効果に加え、タイマースイッチ５ｂがタッチパネルで構成されているため、操作パネル５からタイマースイッチ５ｂが突出せず、この操作パネル５の清掃を容易に行うことができる。なお、本実施の形態では、タイマースイッチ５ｂをタッチパネルとしたが、操作部５ａをタッチパネルで構成してもよい。
【００４４】
実施の形態３．
次に、実施の形態３に係る誘導加熱調理器１について説明する。本実施の形態では、タイマースイッチ５ｂがオフされている場合、即ち、通常使用においてタイマーが設定されており、タイマースイッチ５ｂがオンされて初めてタイマーが解除されるものである点で、実施の形態１と相違する。本実施の形態３では、実施の形態１と共通する部分は同一の符号を付して説明を省略し、実施の形態１との相違点を中心に説明する。
【００４５】
本実施の形態では、タイマーのタイマー時間は、加熱部４の火力に基づいて予め決められている。このタイマー時間は、加熱部４の火力が強いほど、危険性が高まるため、タイマー時間を短くして、危険性を低減させている。例えば、加熱部４の火力が２のとき、タイマー時間は２０分に設定され、加熱部４の火力が８のとき、タイマー時間は１０分に設定される。なお、火力は、数値が大きいほど強いものである。本実施の形態では、タイマースイッチ５ｂがオンされてタイマーが解除されない限り、常にタイマーが動作しているため、誘導加熱調理器１を使用する上での安全性を高めることができる。
【符号の説明】
【００４６】
１  誘導加熱調理器、１ａ  上部加熱部、１ｂ  グリル部、２  天板、３  載置部、３ａ  メニュー操作部、４  加熱部、４ａ  ラジエントヒーター、５  操作パネル  ５ａ  操作部、５ｂ  タイマースイッチ、５ｃ  電源スイッチ、６  発光部、６ａ  操作発光部、６ａａ  第１の操作発光部、６ａｂ  第２の操作発光部、６ｂ  スイッチ発光部、６ｂａ  第１のスイッチ発光部、６ｂｂ  第２のスイッチ発光部、１１  上面操作部、１２  吸排気口カバー、１３  表示部、１４  扉、１５  側板、２１  制御部、２２  発光調整部、２３  計時部、２４  記憶部、２５  回転検出部、３１  インバーター回路、３２  共振コンデンサ、３３  グリルヒーター駆動回路、３４  グリルヒーター、３５  表示部駆動回路、３６  スピーカー、３７  電源部、３８  電源。
【図１】
2014235904.tif 000003
【図２】
2014235904.tif 000004
【図３】
2014235904.tif 000005
【図４】
2014235904.tif 000006
【図５】
2014235904.tif 000007
【図６】
2014235904.tif 000008
【図７】
2014235904.tif 000009
【図８】
2014235904.tif 000010
【図９】
2014235904.tif 000011
【図１０】
2014235904.tif 000012
【図１１】
2014235904.tif 000013